(57)【要約】  液晶表示パネルの検査回路及び検査方法において、前記検査回路は、液晶表示パネルの輝度を検出し、検出された輝度を第１電圧（Ｖ１）に変換するための少なくとも１つの光センサー（１００）と、前記第１電圧（Ｖ１）を所定比率で増幅して第２電圧（Ｖ２）を生成するための演算増幅器（２００）と、演算増幅器（２００）で生成した第２電圧（Ｖ２）と複数の基準電圧とを比較して液晶表示パネルの電源（４００）をオフさせる制御信号を生成するための比較回路と（３００）、を含む。前記検査回路及び方法によれば、液晶表示パネルの問題が発生した場合に電源（４００）を迅速にオフさせ、より深刻な問題の発生を効果的に防止することができる。
2019523914.tif 000002
【特許請求の範囲】
【請求項１】
液晶表示パネルの輝度を検出し、検出された輝度を第１電圧に変換するための少なくとも１つの光センサーと、
前記第１電圧を所定比率で増幅して第２電圧を生成するための演算増幅器と、
演算増幅器で生成した第２電圧と複数の基準電圧とを比較して液晶表示パネルの電源をオフさせる制御信号を生成するための比較回路と、
を含む液晶表示パネルの検査回路。
【請求項２】
前記比較回路は、
前記第２電圧と第１基準電圧とを比較するための第１比較器と、
第１比較器の出力した第１制御信号に応じてオン又はオフされる第１スイッチと、
前記第２電圧と第２基準電圧とを比較するための第２比較器と、
第２比較器の出力した第２制御信号に応じてオン又はオフされる第２スイッチと、を含み、
第２基準電圧は第１基準電圧よりも高く、且つ、第１制御信号によって第１スイッチがオンに、又は第２制御信号によって第２スイッチがオンに制御されると、液晶表示パネルの電源は第１スイッチ又は第２スイッチのオンに応じてオフされる請求項１に記載の検査回路。
【請求項３】
前記比較回路は、
前記第２電圧と第３基準電圧とを比較するための第３比較器と、
前記第２電圧と第４基準電圧とを比較するための第４比較器と、
第３比較器の出力した第３制御信号と第４比較器の出力した第４制御信号との論理和により第５制御信号を生成するＯＲ回路と、
ＯＲ回路の出力した第５制御信号に応じてオン又はオフされる第３スイッチと、を含み、
第４基準電圧は第３基準電圧よりも高く、且つ、第５制御信号によって第３スイッチがオンに制御されると、液晶表示パネルの電源は第３スイッチのオンに応じてオフされる請求項１に記載の検査回路。
【請求項４】
前記第２電圧が前記第１基準電圧よりも高いと、第１比較器の出力した第１制御信号によって第１スイッチがオンに制御され、前記第２電圧が前記第１基準電圧よりも低いと、第１比較器の出力した第１制御信号によって第１スイッチがオフに制御され、
前記第２電圧が前記第２基準電圧よりも低いと、第２比較器の出力した第２制御信号によって第２スイッチがオンに制御され、前記第２電圧が前記第２基準電圧よりも高いと、第２比較器の出力した第２制御信号によって第２スイッチがオフに制御される請求項２に記載の検査回路。
【請求項５】
前記第２電圧が前記第３基準電圧よりも高いと、第３比較器の出力した第３制御信号によって第３スイッチがオンに制御され、前記第２電圧が前記第３基準電圧よりも低いと、第３比較器の出力した第３制御信号によって第３スイッチがオフに制御され、
前記第２電圧が前記第４基準電圧よりも低いと、第４比較器の出力した第４制御信号によって第３スイッチがオンに制御され、前記第２電圧が前記第４基準電圧よりも高いと、第４比較器の出力した第４制御信号によって第３スイッチがオフに制御される請求項３に記載の検査回路。
【請求項６】
少なくとも１つの光センサーによって液晶表示パネルの輝度を検出し、検出された輝度を第１電圧に変換するステップと、
演算増幅器によって前記第１電圧を所定比率で増幅して第２電圧を生成するステップと、
比較回路で演算増幅器の生成した第２電圧と複数の基準電圧とを比較することで液晶表示パネルの電源をオフさせる制御信号を生成するステップと、
を含む液晶表示パネルの検査方法。
【請求項７】
比較回路で演算増幅器の生成した第２電圧と複数の基準電圧とを比較することで液晶表示パネルの電源をオフさせる制御信号を生成するステップは、
第１比較器によって前記第２電圧と第１基準電圧とを比較し、第１比較器の出力した第１制御信号に応じて第１スイッチでオン又はオフするステップと、
第２比較器によって前記第２電圧と第２基準電圧とを比較し、第２比較器の出力した第２制御信号に応じて第２スイッチでオン又はオフするステップと、を含み、
第２基準電圧は第１基準電圧よりも高く、且つ、第１制御信号によって第１スイッチがオンに、又は第２制御信号によって第２スイッチがオンに制御されると、液晶表示パネルの電源は第１スイッチ又は第２スイッチのオンに応じてオフされる請求項６に記載の検査方法。
【請求項８】
比較回路で演算増幅器の生成した第２電圧と複数の基準電圧とを比較することで液晶表示パネルの電源をオフさせる制御信号を生成するステップは、
第３比較器によって前記第２電圧と第３基準電圧とを比較するステップと、
第４比較器によって前記第２電圧と第４基準電圧とを比較するステップと、
ＯＲ回路によって第３比較器の出力した第３制御信号と第４比較器の出力した第４制御信号との論理和で第５制御信号を生成するステップと、
ＯＲ回路の出力した第３制御信号によって第３スイッチでオン又はオフするステップと、を含み、
第４基準電圧は第３基準電圧よりも高く、且つ、第５制御信号によって第３スイッチがオンに制御されると、液晶表示パネルの電源は第３スイッチのオンに応じてオフされる請求項６に記載の検査方法。
【請求項９】
前記第２電圧が前記第１基準電圧よりも高いと、第１比較器の出力した第１制御信号で第１スイッチがオンに制御され、前記第２電圧が前記第１基準電圧よりも低いと、第１比較器の出力した第１制御信号で第１スイッチがオフに制御され、
前記第２電圧が前記第２基準電圧よりも低いと、第２比較器の出力した第２制御信号で第２スイッチがオンに制御され、前記第２電圧が前記第２基準電圧よりも高いと、第２比較器の出力した第２制御信号で第２スイッチがオフに制御される請求項７に記載の検査方法。
【請求項１０】
前記第２電圧が前記第３基準電圧よりも高いと、第３比較器の出力した第３制御信号で第３スイッチがオンに制御され、前記第２電圧が前記第３基準電圧よりも低いと、第３比較器の出力した第３制御信号で第３スイッチがオフに制御され、
前記第２電圧が前記第４基準電圧よりも高いと、第４比較器の出力した第４制御信号で第３スイッチがオンに制御され、前記第２電圧が前記第４基準電圧よりも高いと、第４比較器の出力した第４制御信号で第３スイッチがオフに制御される請求項８に記載の検査方法。
【発明の詳細な説明】
【技術分野】
【０００１】
本発明は、全体的に表示技術の分野に関し、より具体的には、特に液晶表示パネルの検査回路及び検査方法に関する。
【背景技術】
【０００２】
液晶表示技術の発展に伴って、益々多くの端末機器（例えば、タブレットＰＣ、スマートフォン、スマートテレビ等）がそのメイン表示画面として液晶表示パネル（例えば、ＴＮ−ＬＣＤ、ＶＡ−ＬＣＤ、ＩＰＳ−ＬＣＤ等）を用いている。
【０００３】
現在、液晶表示パネルが正常に動作しているか否かは、目視で観察し判断することが一般的である。例えば、目視の観察で液晶表示パネルが黒い画面になったことを見つけると、液晶表示パネルが正常に表示できないと判断できる。しかし、液晶表示パネルは、正常使用中で、液晶表示パネルにＧａｍｍａドリフト、データ混乱、駆動電圧不足等の問題が生じると、液晶表示パネルは正常に表示できるが、カラーキャスト、輝度不足等の現象を招き、目視の観察でこれらの問題を迅速で効果的に見つけない場合があるため、ユーザーの体験を低下させる。また、ユーザーが迅速に見つけられなかった問題がさらに悪化すると、より深刻な問題に繋がってしまう（例えば、液晶表示画面の焼付き等）。
【０００４】
従って、従来の目視の観察で液晶表示画面が正常に動作しているか否かを検査する方式では、幾つかのユーザーに知覚され難い問題を迅速に見つけられない。
【発明の概要】
【発明が解決しようとする課題】
【０００５】
本発明は、上記事情に鑑みてなされたものであり、目視の観察で液晶表示画面が正常に動作しているか否かを検査する従来の方式によって幾つかのユーザーに知覚され難い問題を迅速に見つけられないという欠陥を解決するための液晶表示パネルの検査回路及び検査方法を提供することを目的とする。
【課題を解決するための手段】
【０００６】
本発明の例示的な実施例の一側面によると、液晶表示パネルの輝度を検出し、検出された輝度を第１電圧に変換するための少なくとも１つの光センサーと、前記第１電圧を所定比率で増幅して第２電圧を生成するための演算増幅器と、演算増幅器で生成した第２電圧と複数の基準電圧とを比較して液晶表示パネルの電源をオフさせる制御信号を生成するための比較回路と、を含む液晶表示パネルの検査回路を提供する。
【０００７】
好ましくは、前記比較回路は、前記第２電圧と第１基準電圧とを比較するための第１比較器と、第１比較器の出力した第１制御信号に応じてオン又はオフされる第１スイッチと、前記第２電圧と第２基準電圧とを比較するための第２比較器と、第２比較器の出力した第２制御信号に応じてオン又はオフされる第２スイッチと、を含み、第２基準電圧は第１基準電圧よりも高く、且つ、第１制御信号によって第１スイッチがオンに、又は第２制御信号によって第２スイッチがオンに制御されると、液晶表示パネルの電源は第１スイッチ又は第２スイッチのオンに応じてオフされる。
【０００８】
好ましくは、前記比較回路は、前記第２電圧と第３基準電圧とを比較するための第３比較器と、前記第２電圧と第４基準電圧とを比較するための第４比較器と、第３比較器の出力した第３制御信号と第４比較器の出力した第４制御信号との論理和により第５制御信号を生成するＯＲ回路と、ＯＲ回路の出力した第５制御信号に応じてオン又はオフされる第３スイッチと、を含み、第４基準電圧は第３基準電圧よりも高く、且つ、第５制御信号によって第３スイッチがオンに制御されると、液晶表示パネルの電源は第３スイッチのオンに応じてオフされる。
【０００９】
好ましくは、前記第２電圧が前記第１基準電圧よりも高いと、第１比較器の出力した第１制御信号によって第１スイッチがオンに制御され、前記第２電圧が前記第１基準電圧よりも低いと、第１比較器の出力した第１制御信号によって第１スイッチがオフに制御され、前記第２電圧が前記第２基準電圧よりも低いと、第２比較器の出力した第２制御信号によって第２スイッチがオンに制御され、前記第２電圧が前記第２基準電圧よりも高いと、第２比較器の出力した第２制御信号によって第２スイッチがオフに制御される。
【００１０】
好ましくは、前記第２電圧が前記第３基準電圧よりも高いと、第３比較器の出力した第３制御信号によって第３スイッチがオンに制御され、前記第２電圧が前記第３基準電圧よりも低いと、第３比較器の出力した第３制御信号によって第３スイッチがオフに制御され、前記第２電圧が前記第４基準電圧よりも低いと、第４比較器の出力した第４制御信号によって第３スイッチがオンに制御され、前記第２電圧が前記第４基準電圧よりも高いと、第４比較器の出力した第４制御信号によって第３スイッチがオフに制御される。
【００１１】
本発明の例示的な実施例の他の側面によると、少なくとも１つの光センサーによって液晶表示パネルの輝度を検出し、検出された輝度を第１電圧に変換するステップと、演算増幅器によって前記第１電圧を所定比率で増幅して第２電圧を生成するステップと、比較回路で演算増幅器の生成した第２電圧と複数の基準電圧とを比較することで液晶表示パネルの電源をオフさせる制御信号を生成するステップと、を含む液晶表示パネルの検査方法を提供する。
【００１２】
好ましくは、比較回路で演算増幅器の生成した第２電圧と複数の基準電圧とを比較することで液晶表示パネルの電源をオフさせる制御信号を生成するステップは、第１比較器によって前記第２電圧と第１基準電圧とを比較し、第１比較器の出力した第１制御信号に応じて第１スイッチでオン又はオフするステップと、第２比較器によって前記第２電圧と第２基準電圧とを比較し、第２比較器の出力した第２制御信号に応じて第２スイッチでオン又はオフするステップと、を含み、第２基準電圧は第１基準電圧よりも高く、且つ、第１制御信号によって第１スイッチがオンに、又は第２制御信号によって第２スイッチがオンに制御されると、液晶表示パネルの電源は第１スイッチ又は第２スイッチのオンに応じてオフされる。
【００１３】
好ましくは、比較回路で演算増幅器の生成した第２電圧と複数の基準電圧とを比較することで液晶表示パネルの電源をオフさせる制御信号を生成するステップは、第３比較器によって前記第２電圧と第３基準電圧とを比較するステップと、第４比較器によって前記第２電圧と第４基準電圧とを比較するステップと、ＯＲ回路によって第３比較器の出力した第３制御信号と第４比較器の出力した第４制御信号との論理和で第５制御信号を生成するステップと、ＯＲ回路の出力した第５制御信号によって第３スイッチでオン又はオフするステップと、を含み、第４基準電圧は第３基準電圧よりも高く、且つ、第５制御信号によって第３スイッチがオンに制御されると、液晶表示パネルの電源は第３スイッチのオンに応じてオフされる。
【００１４】
好ましくは、前記第２電圧が前記第１基準電圧よりも高いと、第１比較器の出力した第１制御信号で第１スイッチがオンに制御され、前記第２電圧が前記第１基準電圧よりも低いと、第１比較器の出力した第１制御信号で第１スイッチがオフに制御され、前記第２電圧が前記第２基準電圧よりも低いと、第２比較器の出力した第２制御信号で第２スイッチがオンに制御され、前記第２電圧が前記第２基準電圧よりも高いと、第２比較器の出力した第２制御信号で第２スイッチがオフに制御される。
【００１５】
好ましくは、前記第２電圧が前記第３基準電圧よりも高いと、第３比較器の出力した第３制御信号で第３スイッチがオンに制御され、前記第２電圧が前記第３基準電圧よりも低いと、第３比較器の出力した第３制御信号で第３スイッチがオフに制御され、前記第２電圧が前記第４基準電圧よりも高いと、第４比較器の出力した第４制御信号で第３スイッチがオンに制御され、前記第２電圧が前記第４基準電圧よりも高いと、第４比較器の出力した第４制御信号で第３スイッチがオフに制御される。
【発明の効果】
【００１６】
本発明の例示的な実施例の提供した液晶表示画面の検査回路及び検査方法によれば、液晶表示パネルの問題が発生した場合に電源を迅速にオフさせ、より深刻な問題の発生を効果的に防止することができる。
【図面の簡単な説明】
【００１７】
以下、図面を参照しながら、本発明の例示的な実施例を詳細に説明することによって、上記の技術案及び他の目的、特徴や利点がより明らかになろう。
【図１】本発明の一実施例の液晶表示パネルの検査回路を示す構成図である。
【図２】図１に示す検査回路における比較回路の１つの示例を示す構成図である。
【図３】図１に示す検査回路における比較回路の他の示例を示す構成図である。
【図４】本発明の一実施例の液晶表示パネルの検査回路を示す回路図である。
【図５】本発明の一実施例の液晶表示パネルの検査方法を示すフローチャートである。
【発明を実施するための形態】
【００１８】
次に、図面を参照しながらより十分に異なる示例である実施例について説明する。なお、一部の例示的な実施例は図面に示され、同じ符号は一貫して同じ部材を表す。
【００１９】
図１は、本発明の一実施例の液晶表示パネルの検査回路の構成図を示す。
【００２０】
図１に示すように、本発明による液晶表示パネルの検査回路は、少なくとも１つの光センサー１００と、演算増幅器２００と、比較回路３００とを含む。
【００２１】
具体的に、少なくとも１つの光センサー１００のうちの各光センサー１００は、液晶表示パネルの輝度を検出し、検出された輝度を第１電圧に変換するためのものである。ここで、各光センサー１００を液晶表示パネルの任意の額縁に隠すように配置してもよく、好ましくは、４個のセンサー１００を液晶表示パネルの四隅に隠すように配置してもよい。具体的に、各光センサー１００は、検出された液晶表示パネルの動作時の輝度を指す光信号を第１電圧に変換し、前記第１電圧を演算増幅器２００に入力することができる。
【００２２】
演算増幅器２００は、前記第１電圧を所定比率で増幅して第２電圧を生成するためのものである。ここで、一例として、前記演算増幅器は、高増幅率を有する回路ユニットであり、前記第１電圧を所定比率で増幅して第２電圧を生成することができる。
【００２３】
比較回路３００は、演算増幅器２００の生成した第２電圧と複数の基準電圧とを比較することで液晶表示パネルの電源４００をオフさせる制御信号を生成するためのものである。
【００２４】
具体的に、液晶表示パネルは、動作に異常がある時、液晶表示パネルの動作電圧にも異常があるため、液晶表示パネルの現在動作電圧と所定電圧とを比較する方式によって液晶表示パネルの現在の動作状態を迅速に了解できる。
【００２５】
次に、具体的な示例に基づいて第２電圧と複数の基準電圧とを比較して液晶表示パネルの電源をオフさせる例を説明する。
【００２６】
図２は、図１に示す検査回路における比較回路３００の１つの示例を示す構成図である。
【００２７】
図２に示すように、比較回路３００は、第１比較器３１０と、第１スイッチ３２０と、第２比較器３３０と、第２スイッチ３４０とを含んでもよい。
【００２８】
ここで、一例として、第１比較器３１０が前記第２電圧と第１基準電圧とを比較するためのものであり、第２比較器３３０が前記第２電圧と第２基準電圧とを比較するためのものであってもよい。
【００２９】
第１スイッチ３２０は、第１比較器３１０の出力した第１制御信号に応じてオン又はオフされ、第２スイッチ３４０は、第２比較器３３０の出力した第２制御信号に応じてオン又はオフされてもよい。ここで、前記第１スイッチ３２０又は第２スイッチ３４０は、電子スイッチとして用いられるＮＭＯＳトランジスタ、ＰＭＯＳトランジスタ等の電界効果トランジスタであってもよい。
【００３０】
その中で、第２基準電圧が第１基準電圧よりも高く、且つ、第１制御信号によって第１スイッチ３２０がオンに制御されるか、又は第２制御信号によって第２スイッチ３４０がオンに制御されると、液晶表示パネルの電源４００は、第１スイッチ３２０又は第２スイッチ３４０のオンに応じてオフされる。
【００３１】
具体的に、前記第２電圧が前記第１基準電圧よりも高いと、第１比較器３１０の出力した第１制御信号は第１スイッチ３２０をオンに制御し、前記第２電圧が前記第１基準電圧よりも低いと、第１比較器３１０の出力した第１制御信号は第１スイッチ３２０をオフに制御する。前記第２電圧が前記第２基準電圧よりも低いと、第２比較器３３０の出力した第２制御信号は第２スイッチ３４０をオンに制御し、前記第２電圧が前記第２基準電圧よりも高いと、第２比較器３３０の出力した第２制御信号は第２スイッチ３４０をオフに制御する。つまり、第１スイッチ３２０及び第２スイッチ３４０のいずれかがオンである時、液晶表示パネルのスイッチイネーブル信号を接地させて、液晶表示パネルの電源４００をオフさせることができる。
【００３２】
図３は、図１に示す検査回路における比較回路３００の他の示例を示す構成図である。
【００３３】
図３に示すように、比較回路３００は、第３比較器３５０と、第４比較器３６０と、ＯＲ回路３７０と、第３スイッチ３８０とを含んでもよい。
【００３４】
ここで、一例として、第３比較器３５０が前記第２電圧と第３基準電圧とを比較するためのものであり、第４比較器３６０が前記第２電圧と第４基準電圧とを比較するためのものであってもよい。
【００３５】
ＯＲ回路３７０は、第３比較器の出力した第３制御信号と第４比較器の出力した第４制御信号との論理和を、第５制御信号として生成する。ここで、前記ＯＲ回路３７０は、基本的論理演算や該当する論理演算を行うユニット回路である。
【００３６】
第３スイッチ３８０は、ＯＲ回路３７０を介して出力される第５制御信号に応じてオン又はオフされてもよい。ここで、前記第３スイッチ３８０は、電子スイッチとして用いられるＮＭＯＳトランジスタ、ＰＭＯＳトランジスタ等の電界効果トランジスタであってもよい。
【００３７】
ここで、第４基準電圧が第３基準電圧よりも高く、且つ、第５制御信号によって第３スイッチ３８０がオンに制御されると、液晶表示パネルの電源は、第３スイッチ３８０のオンに応じてオフされる。
【００３８】
具体的に、前記第２電圧が前記第３基準電圧よりも高いと、第３比較器３５０の出力した第３制御信号は第３スイッチ３８０をオンに制御し、前記第２電圧が前記第３基準電圧よりも低いと、第３比較器の出力した第３制御信号は第３スイッチ３８０をオフに制御する。前記第２電圧が前記第４基準電圧よりも低いと、第４比較器の出力した第４制御信号は第３スイッチ３８０をオンに制御し、前記第２電圧が前記第４基準電圧よりも高いと、第４比較器３６０の出力した第４制御信号は第３スイッチ３８０をオフに制御する。つまり、第３制御信号及び第４制御信号のいずれかが第３スイッチ３７０をオンに制御する制御信号である時、ＯＲ回路３７０は、第３スイッチ３８０をオンに制御するための第５制御信号を生成することができ、液晶表示パネルのスイッチイネーブル信号を接地させて、液晶表示パネルの電源４００をオフさせることができる。
【００３９】
次に、図４を参照しながら、本発明の例示的な実施例による液晶表示パネルの検査回路の回路図の一例について詳細に説明する。
【００４０】
図４に示すように、一例として、比較回路３００は、第１比較器３１０と、第１スイッチ３２０と、第２比較器３３０と、第２スイッチ３４０とを含む。具体的に、光センサー１００の一方端に５Ｖである電圧が接続され、光センサー１００の他方端に演算増幅器２００の正側入力端が接続され、演算増幅器２００の負側入力端に抵抗Ｒ２の一端が接続され、抵抗Ｒ２の他端は接地され、演算増幅器２００の出力端には第１比較器３１０の正側入力端と第２比較器３２０の負側入力端が並列的に接続され、第１比較器３１０の負側入力端に第１基準電圧ＶＲＥＦ１が接続され、第２比較器３２０の正側入力端に第２基準電圧ＶＲＥＦ２が接続され、第１比較器３１０の出力端に第１スイッチ３３０のソースが接続され、第２比較器３２０の出力端に第２スイッチ３４０のソースが接続され、第１スイッチ３３０のドレインは電源の制御端と接続され、第２スイッチ３４０のドレインは電源の制御端と接続される。
【００４１】
以下、本発明の例示的な実施例による液晶表示パネルの検査回路の動作原理について説明する。
【００４２】
具体的に、光センサー１００は液晶表示パネルの輝度を検出し、検出された輝度を第１電圧Ｖ１に変換し、演算増幅器２００は、第１電圧Ｖ１を受信すると、第１電圧Ｖ１を所定比率で増幅して第２電圧Ｖ２を生成し、前記第２電圧Ｖ２を第１比較器３１０及び第２比較器３３０にそれぞれ入力させ、第１比較器３１０は前記第２電圧Ｖ２と第１基準電圧ＶＲＥＦ１とを比較する。ここで、前記第２電圧Ｖ２が第１基準電圧ＶＲＥＦ１よりも高いと、正常輝度に対して液晶表示パネルの輝度がより高いことが証明され、例えば、Ｇａｍｍａドリフト、データ混乱等の異常が生じている可能性がある。第１比較器３１０は第１スイッチ３２０をオンさせるための第１制御信号を生成することになり、第１スイッチ３３０はそのオン用の第１制御信号（例えば、ハイレベル信号）を受け付けるとオンし、液晶表示パネルの電源の電源イネーブル信号を接地させることで、電源をオフになるように制御する。それに対し、前記第２電圧Ｖ２が第１基準電圧ＶＲＥＦ１よりも低いと、液晶表示パネルの輝度が正常輝度よりも高くなく、正常表示状態にあることが証明される。従って、第１比較器３１０は第１スイッチ３２０をオフさせるための第１制御信号を生成し、これにより、第１スイッチ３３０はオフ状態になり、液晶表示パネルは正常に表示される。
【００４３】
また、第１比較器３１０により第２電圧Ｖ２と第１基準電圧ＶＲＥＦ１とを比較すると共に、第２比較器３３０により前記第２電圧Ｖ２と第２基準電圧ＶＲＥＦ２とを比較する。  ここで、前記第２電圧Ｖ２が第２基準電圧ＶＲＥＦ２よりも低いと、正常輝度に対して液晶表示パネルの輝度がより低いことが証明され、例えば、Ｇａｍｍａドリフト、データ混乱等の異常が生じている可能性がある。第２比較器３３０は第２スイッチ３４０をオンさせるための第２制御信号を生成することになり、第２スイッチ３４０はそのオン用の第２制御信号（例えば、ハイレベル信号）を受け付けるとオンし、液晶表示パネルの電源の電源イネーブル信号を接地させることで、電源をオフになるように制御する。それに対し、前記第２電圧Ｖ２が第２基準電圧ＶＲＥＦ２よりも高いと、液晶表示パネルの輝度が正常輝度よりも低くなく、正常表示状態にあることが証明され、第２比較器３３０は第２スイッチ３４０をオフさせるための第２制御信号を生成する。これにより、第２スイッチはオフ状態になり、液晶表示パネルは正常に表示される。
【００４４】
ここで、第２基準電圧ＶＲＥＦ２が第１基準電圧ＶＲＥＦ１よりも高いため、第１比較器３１０と第２比較器３３０のうちの１つのみが、対応するスイッチをオンに制御するための制御信号を生成し得ることに注意すべきである。
【００４５】
本発明の例示的な実施例による液晶表示パネルの検査回路では、液晶表示パネルに問題があった場合、電源を迅速にオフさせ、より深刻な問題の発生を効果的に防止することができる。
【００４６】
図５は、本発明の一実施例の液晶表示パネルの検査方法のフローチャートを示す。
【００４７】
図５に示すように、ステップＳ１００では、少なくとも１つの光センサー１００で液晶表示パネルの輝度を検出し、検出された輝度を第１電圧に変換する。具体的には、少なくとも１つの光センサー１００で検出された液晶表示パネルの動作時の輝度を示す光信号を第１電圧に変換し、前記第１電圧を演算増幅器２００に入力することができる。
【００４８】
ステップＳ２００では、演算増幅器２００により前記第１電圧を所定比率で増幅して第２電圧を生成する。
【００４９】
ステップＳ３００では、演算増幅器２００により生成した第２電圧と複数の基準電圧とを比較回路３００で比較して液晶表示パネルの電源４００をオフさせるための制御信号を生成する。
【００５０】
具体的には、液晶表示パネルの動作が異常である時、液晶表示パネルの動作電圧も異常になるため、液晶表示パネルの現在の動作電圧と所定電圧とを比較する方式によって液晶表示パネルの現在の動作状態を迅速に把握することができる。
【００５１】
次に、具体的な示例を参照しながら、第２電圧と複数の基準電圧とを比較して液晶表示パネルの電源をオフさせる一例について説明する。
【００５２】
一例として、第１比較器３１０で前記第２電圧と第１基準電圧とを比較し、第１スイッチ３２０は第１比較器３１０の出力した第１制御信号に応じてオン又はオフされ、第２比較器３３０で前記第２電圧と第２基準電圧とを比較し、第２スイッチ３４０は第２比較器３３０の出力した第２制御信号に応じてオン又はオフされる。
【００５３】
なお、第２基準電圧が第１基準電圧よりも高く、且つ、第１制御信号が第１スイッチ３２０をオンに、又は第２制御信号が第２スイッチ３４０をオンに制御すると、液晶表示パネルの電源は第１スイッチ３２０又は第２スイッチ３４０のオンに応じてオフされる。
【００５４】
具体的に、前記第２電圧が前記第１基準電圧よりも高いと、第１比較器３１０の出力した第１制御信号で第１スイッチ３２０をオンに制御し、前記第２電圧が前記第１基準電圧よりも低いと、第１比較器３１０の出力した第１制御信号で第１スイッチ３２０をオフに制御し、前記第２電圧が前記第２基準電圧よりも低いと、第２比較器３３０の出力した第２制御信号で第２スイッチ３４０をオンに制御し、前記第２電圧が前記第２基準電圧よりも高いと、第２比較器３３０の出力した第２制御信号で第２スイッチ３４０をオフに制御する。つまり、第１スイッチ３２０と第２スイッチ３４０のうちいずれかがオンする時、液晶表示パネルのスイッチイネーブル信号を接地させて、液晶表示パネルの電源４００をオフすることができる。
【００５５】
他の一例として、第３比較器３５０で前記第２電圧と第３基準電圧とを比較し、第４比較器３６０で前記第２電圧と第４基準電圧とを比較し、ＯＲ回路３７０によって、第３比較器３５０の出力した第３制御信号と第４比較器３６０の出力した第４制御信号との論理和を演算し、これにより第５制御信号を生成し、第３スイッチ３８０はＯＲ回路を介して出力した第５制御信号に応じてオン又はオフされる。
【００５６】
なお、第４基準電圧が第３基準電圧よりも高く、且つ、第５制御信号によって第３スイッチ３８０がオンに制御されると、液晶表示パネルの電源は第３スイッチ３８０のオンに応じてオフされる。
【００５７】
具体的には、前記第２電圧が前記第３基準電圧よりも高いと、第３比較器３５０の出力した第３制御信号で第３スイッチ３８０がオンに制御され、前記第２電圧が前記第３基準電圧よりも低いと、第３比較器３５０の出力した第３制御信号で第３スイッチ３８０がオフに制御される。前記第２電圧が前記第４基準電圧よりも低いと、第４比較器３６０の出力した第４制御信号で第３スイッチ３８０がオンに制御され、前記第２電圧が前記第４基準電圧よりも高いと、第４比較器３６０の出力した第４制御信号で第３スイッチ３８０がオフに制御される。つまり、第３制御信号と第４制御信号とのいずれかが第３スイッチ３７０をオンに制御する制御信号である時、ＯＲ回路３７０で第３スイッチ３８０をオンに制御するための第５制御信号を生成し、液晶表示パネルのスイッチイネーブル信号を接地させて、液晶表示パネルの電源４００をオフすることができる。
【００５８】
以上より、本発明の例示的な実施例による液晶パネルの検査回路及び検査方法では、液晶表示パネルに問題があった場合、電源を迅速にオフさせ、より深刻な問題の発生を効果的に防止することができる。
【００５９】
勿論、本発明の保護範囲は上記の具体的実施形態に限定されるものではない。当業者であれば、本発明の精神及び範囲から逸脱せず発明について種々の変更や変形を加えることができる。よって、本発明のこれらの修正及び変形が本発明の特許請求の範囲及びその同等な技術の範囲内に属すると、これらの変更及び変形も本発明に含まれる。
【図１】
2019523914.tif 000003
【図２】
2019523914.tif 000004
【図３】
2019523914.tif 000005
【図４】
2019523914.tif 000006
【図５】
2019523914.tif 000007
【国際調査報告】
2019523914.tif 000008
2019523914.tif 000009
2019523914.tif 000010
2019523914.tif 000011
2019523914.tif 000012